(57)【要約】【解決手段】移動式のネットワークエンティティ（ＵＥ）用の局所的な動的位置情報の更新及びクエリ方法を開示する。ＵＥは、新しい位置情報を現在配置されているコンテナに登録するとともに、現在のコンテナは、新しい位置情報を更新してＵＥが移動する前に配置されていたコンテナに配信するステップ（１）と、ネットワーク転送装置は、ＵＥが現在到達不可能であることを分かると、ＵＥが移動する前に配置されていたコンテナに、ＵＥの新しい位置情報のクエリ要求を送信し、ＵＥが移動する前に配置されていたコンテナは、上記クエリ要求を受信した後、自身のコンテナ内を検索することよって、ＵＥの新しい位置情報を取得するステップ（２）と、ネットワーク転送装置は、検索することにより取得されたＵＥの新しい位置情報に基づいて、通信セッションメッセージにおけるネットワークアドレス情報を修正し、該通信セッションメッセージを転送するステップ（３）と、を含む。【選択図】図１
2021510282.tif 000002
【特許請求の範囲】
【請求項１】
移動式のネットワークエンティティ用の局所的な動的位置情報の更新及びクエリ方法であって、
階層的な入れ子構造の分散型のコンテナを用いて、前記ネットワークエンティティの位置情報の登録及びクエリを処理し、前記ネットワークエンティティが移動してネットワーク接続ポイントに接続され、新しいネットワークアドレスの割り当てが得られると、該ネットワークエンティティが現在配置されているコンテナに前記ネットワークエンティティの新しい位置情報を登録し、該位置情報は、少なくとも前記ネットワークエンティティの現在のネットワークアドレス情報を含み、
前記ネットワークエンティティは、新しい位置情報を現在配置されているコンテナに登録するとともに、現在のコンテナは、前記新しい位置情報を更新して前記ネットワークエンティティが移動する前に配置されていたコンテナに配信する、ステップ（１）と、
ネットワーク転送装置は、前記ネットワークエンティティが現在到達不可能であることが分かると、前記ネットワークエンティティが移動する前に配置されていたコンテナに、前記ネットワークエンティティの新しい位置情報のクエリ要求を送信し、前記ネットワークエンティティが移動する前に配置されていたコンテナは、前記クエリ要求を受信した後、自身のコンテナ内を検索することによって、前記ネットワークエンティティの新しい位置情報を取得する、ステップ（２）と、
前記ネットワーク転送装置は、検索することにより取得された前記ネットワークエンティティの新しい位置情報に基づいて、通信セッションメッセージにおけるネットワークアドレス情報を修正し、該通信セッションメッセージを転送する、ステップ（３）とを含む、移動式のネットワークエンティティ用の局所的な動的位置情報の更新及びクエリ方法。
【請求項２】
前記ステップ（１）は、具体的には、
前記ネットワークエンティティは、少なくとも該ネットワークエンティティの名前、現在の有効な位置情報、配信シーケンス番号、移動する前に配置されていたコンテナＣＭｏｌｄのアドレス指定情報を含む登録情報を、現在配置されているコンテナＣＭｎｅｗに送信する、ステップ（１０１）と、
前記コンテナＣＭｎｅｗは、前記登録情報を受信した後、該登録情報における配信シーケンス番号が更新されたものであるか否かを判断し、そうである場合には、ステップ（１０３）に進み、そうではない場合には、戻って登録に失敗し、処理を終了する、ステップ（１０２）と、
前記コンテナＣＭｎｅｗは、本コンテナ内に管理記憶されている対応するネットワークエンティティの位置情報及び配信シーケンス番号情報を更新し、該コンテナＣＭｎｅｗのアドレス指定情報を含む、今回の処理結果を前記ネットワークエンティティに送り返し、該ネットワークエンティティは、受信したコンテナＣＭｎｅｗのアドレス指定情報を記憶する、ステップ（１０３）と、
前記コンテナＣＭｎｅｗは、自身の登録情報におけるコンテナＣＭｏｌｄとは同一のコンテナであるか否かを判断し、そうである場合には、処理を終了し、そうではない場合には、ステップ（１０５）を実行する、ステップ（１０４）と、
前記コンテナＣＭｎｅｗは、今回受信した登録情報を前記コンテナＣＭｏｌｄに送信する、ステップ（１０５）と、
前記コンテナＣＭｏｌｄは、前記登録情報を受信した後、前記ネットワークエンティティの名前の配信シーケンス番号が本コンテナ内に現在記憶されているシーケンス番号情報と比べて、より新しいか否かを判断し、そうである場合には、本コンテナ内に管理記憶されているネットワークエンティティの位置情報及び配信シーケンス番号を更新し、そうでない場合には、更新及び配信を行わない、ステップ（１０６）とを含む、ことを特徴とする請求項１に記載の移動式のネットワークエンティティ用の局所的な動的位置情報の更新及びクエリ方法。
【請求項３】
前記配信シーケンス番号は、前記ネットワークエンティティによりメンテナンスされ、毎回の配信ごとに更新される、ことを特徴とする請求項２に記載の移動式のネットワークエンティティ用の局所的な動的位置情報の更新及びクエリ方法。
【請求項４】
前記コンテナのアドレス指定情報は、該コンテナの識別子又はネットワークアドレスである、ことを特徴とする請求項２に記載の移動式のネットワークエンティティ用の局所的な動的位置情報の更新及びクエリ方法。
【発明の詳細な説明】
【技術分野】
【０００１】
本願は、名称が「移動式のネットワークエンティティ用の局所的な動的位置情報の更新及びクエリ方法」であり、２０１８年１月１１日に出願された中国特許出願第２０１８１００２７６６２．６号に基づく優先権を主張し、この出願のすべての内容が参照により本明細書に組み込まれる。
【０００２】
本発明は、ネットワーク技術及び通信技術の分野に関し、特に、移動式のネットワークエンティティ用の局所的な動的位置情報の更新及びクエリ方法に関する。
【背景技術】
【０００３】
モビリティ管理技術は、モバイル端末の位置情報、安全性、及びサービスの継続性を管理するものであり、端末とネットワークの接続状態を最適にするように努め、さらに様々なネットワークサービスの適用を確保する。
【０００４】
端末の高速移動は、従来のインターネットシステムにおけるＩＰアドレスの急な変更を引き起こすことがある。情報センターネットワーク（ＩＣＮ）の核心理念は、名前とアドレスとを分離することである。ＩＣＮの名前付けのメカニズムを用い、ネットワークにおける各エンティティは、何れも位置とは関係のないエンティティの唯一の識別子を名前として取得する。エンティティの名前とエンティティの現在のネットワークアドレスとを動的に結合することによって、通信中にＩＰアドレスが急に変更される問題を解決することができる。名前とネットワークアドレス間のマッピング関係の更新及びクエリは、データ通信で不可欠なプロセスであり、その性能は、ネットワークサービスの品質に直接的に影響する。
【０００５】
フラット化の名前付けに対して、階層構造を用いてＩＣＮの名前の解析を行うことが主流になっている。従来技術は、階層型ブルームフィルタに基づくフラット解析構造を提案しており、この階層構造は、多段に入れ子状にされたコンテナ空間を構築し、システムの拡張がしやすく、各コンテナにおいてブルームフィルタによって検索効率を向上させる。
【０００６】
しかしながら、モバイル環境では、位置情報が変わると、従来のコンテナ又は分散型ハッシュ構造のメンテナンス管理のメカニズムでは、遅延制御とサービスの継続性に対する要求の高いアプリケーションニーズとを効果的にサポートすることができない。
【発明の概要】
【発明が解決しようとする課題】
【０００７】
本発明が解決する技術課題は、通信セッション中の通信端末側ネットワークエンティティが移動によって現在のネットワークアドレスを変更した後、通信データの送信と転送とを担当するネットワーク装置により、移動後の現在の新しいアドレスを如何に迅速に検索するかである。新しいアドレス情報を迅速に取得して通信メッセージをタイミング良く新しい位置に転送することによって、通信セッションの継続性を確保することを目的とする。
【課題を解決するための手段】
【０００８】
上記目的を達成するために、本発明は、移動式のネットワークエンティティ用の局所的な動的位置情報の更新及びクエリ方法を提供する。この方法は、階層的な入れ子構造の分散型のコンテナを用いて、前記ネットワークエンティティの位置情報の登録及びクエリを処理する。ネットワークエンティティが移動し、ネットワーク接続ポイントに接続され、新しいネットワークアドレスの割り当てが得られると、前記ネットワークエンティティが現在配置されているコンテナにネットワークエンティティの新しい位置情報を登録し、該位置情報は、少なくとも前記ネットワークエンティティの現在のネットワークアドレス情報を含む。
前記方法は、
前記ネットワークエンティティが新しい位置情報を現在配置されているコンテナに登録するとともに、現在のコンテナは前記新しい位置情報を更新して前記ネットワークエンティティが移動する前に配置されていたコンテナに配信するステップ（１）と、
ネットワーク転送装置は、前記ネットワークエンティティが現在到達不可能であることが分かると、前記ネットワークエンティティが移動する前に配置されていたコンテナに、前記ネットワークエンティティの新しい位置情報のクエリ要求を送信し、前記ネットワークエンティティが移動する前に配置されていたコンテナは、前記クエリ要求を受信した後、自身のコンテナ内を検索することによって、前記ネットワークエンティティの新しい位置情報を取得する、ステップ（２）と、
前記ネットワーク転送装置は、検索することにより取得された前記ネットワークエンティティの新しい位置情報に基づいて、通信セッションメッセージにおけるネットワークアドレス情報を修正し、該通信セッションメッセージを転送する、ステップ（３）と、を含む。
【０００９】
上記方法の改良としては、前記ステップ（１）は、具体的には、
前記ネットワークエンティティは、少なくとも該ネットワークエンティティの名前、現在の有効な位置情報、配信シーケンス番号、移動する前に配置されていたコンテナＣＭｏｌｄのアドレス指定情報を含む登録情報を現在配置されているコンテナＣＭｎｅｗに送信する、ステップ（１０１）と、
前記コンテナＣＭｎｅｗは、前記登録情報を受信した後、該登録情報における配信シーケンス番号が更新されたものであるか否かを判断し、そうである場合には、ステップ（１０３）に進み、そうではない場合には、戻って登録に失敗し、処理を終了する、ステップ（１０２）と、
前記コンテナＣＭｎｅｗは、本コンテナ内に管理記憶されている対応するネットワークエンティティの位置情報及び配信シーケンス番号情報を更新し、該コンテナＣＭｎｅｗのアドレス指定情報を含む、今回の処理結果を前記ネットワークエンティティに送り返し、該ネットワークエンティティは、受信したコンテナＣＭｎｅｗのアドレス指定情報を記憶する、ステップ（１０３）と、
前記コンテナＣＭｎｅｗは、自身の登録情報におけるコンテナＣＭｏｌｄとは同一のコンテナであるか否かを判断し、そうである場合には、処理を終了し、そうではない場合には、ステップ（１０５）を実行する、ステップ（１０４）と、
前記コンテナＣＭｎｅｗは、今回受信した登録情報をコンテナＣＭｏｌｄに送信する、ステップ（１０５）と、
前記コンテナＣＭｏｌｄは、前記登録情報を受信した後、前記ネットワークエンティティの名前の配信シーケンス番号が本コンテナ内に現在記憶されているシーケンス番号情報と比べてより新しいか否かを判断し、そうである場合には、本コンテナ内に管理記憶されているネットワークエンティティの位置情報及び配信シーケンス番号を更新し、そうでない場合には、更新及び配信を行わない、ステップ（１０６）と、を含む。
【００１０】
上記方法の改良としては、前記配信シーケンス番号は、前記ネットワークエンティティによりメンテナンスされ、毎回配信されるごとに更新される。
【００１１】
上記方法の改良としては、前記コンテナのアドレス指定情報は、該コンテナの識別子又はネットワークアドレスである。
【発明の効果】
【００１２】
本発明の利点は以下のとおりである。
【００１３】
本発明は、モバイル通信サービスのセッションの継続性ニーズに対して、移動をサポートするネットワークエンティティ用の局所的な位置情報の更新及びクエリ方法を開示し、通信端末側ネットワークエンティティが異なるレベルの速度で移動する際に、モバイル通信端末のネットワークの位置情報を迅速に再取得することができ、それにより、所定時間内に通信を回復し、セッションの継続性を確保するサービスニーズをサポートすることができる。
【図面の簡単な説明】
【００１４】
【図１】ネットワークエンティティが移動した後の局所的な位置情報の登録及び更新のフローチャートである。
【発明を実施するための形態】
【００１５】
以下、図面を参照しながら本発明をさらに説明する。
【００１６】
本発明は、階層的な入れ子構造の分散型のコンテナを用いて、ネットワークエンティティ（ＵＥ）の位置情報の登録とクエリ管理とを行う。ＵＥは移動によって関連するネットワーク接続ポイントを変更した場合、移動方向と範囲とに拘わらず、最終的に入れ子状にされたコンテナのセットにより管理され、このコンテナアーキテクチャに基づきグローバルな位置情報の更新を完了する。ＵＥが移動した後の位置情報の登録は、上記入れ子構造内におけるあるレベルｉのコンテナにより処理されると、ＵＥ位置情報のコンテナ内での登録、更新及びクエリ過程の実施例は以下のとおりである。
【００１７】
ネットワークエンティティが移動し、ネットワーク接続ポイントに接続され、新しいネットワークアドレスの割り当てが得られると、該ネットワークエンティティの新しい位置情報の登録、更新過程は以下のとおりである。
【００１８】
（１）上記ネットワークエンティティは、現在配置されている最下層コンテナと相互作用し、新しい位置情報を登録する。登録要求情報の内容には、ネットワークエンティティの名前、現在の有効な位置情報、配信シーケンス番号、移動する前に配置されていたコンテナ（ＣＭｏｌｄとして示される）アドレス指定情報等が含まれる。上記最下層コンテナは、受信された上記位置情報の登録要求を、該コンテナが配置されているレベルｉのコンテナに転送する。
【００１９】
（２）上記レベルｉのコンテナは、登録情報の処理を行う。まず、上記レベルｉのコンテナは、受信されたネットワークエンティティの名前の配信シーケンス番号が本コンテナに現在記憶されているネットワークエンティティに対応する配信シーケンス番号と比べてより新しいか否かを検出し、受信して更新された配信シーケンス番号を有するＵＥ位置情報を記憶して更新する。更新が完了すると、最下層コンテナによって今回の登録処理の結果をネットワークエンティティに送り返し、この処理結果には、上記レベルｉのコンテナの通信アドレス指定情報も転送される。
【００２０】
（３）上記レベルｉのコンテナは、そのレベルｉのコンテナ自体と登録情報における「移動する前に配置されていたコンテナ」とが同一のコンテナであるか否かを判断し、そうである場合には、転送を終了し、そうでない場合には、上記登録要求を登録情報における「移動する前に配置されていたコンテナ」に転送し続ける。
【００２１】
（４）移動する前に配置されていたコンテナは、上記登録情報を受信した後、更新された配信シーケンス番号を有するネットワークエンティティの位置情報のみに対して、更新処理を行う。
【００２２】
（５）ネットワークエンティティは、受信した登録処理の結果におけるコンテナの通信アドレス指定情報を記憶し、次回の移動が発生した後、それを新しい位置登録情報における「移動する前に配置されていたコンテナのアドレス指定情報」とする。
【００２３】
クエリ過程は、以下のとおりである。
【００２４】
（１）ＵＥ通信データ伝送経路上のネットワーク転送装置は、ＵＥが到達不可能であることが分かると、ＵＥが移動前に位置する最下層コンテナに、ＵＥ位置情報のクエリ要求を送信し、該最下層コンテナにより上記クエリ要求を本コンテナが配置されているレベルｉのコンテナに転送し、レベルｉのコンテナによりＵＥ位置情報のクエリを完了する。
【００２５】
（２）ネットワーク転送装置は、クエリにより取得されたネットワークエンティティの新しい位置情報に基づいて、通信セッションメッセージのネットワークアドレス情報を修正し、該通信セッションメッセージを転送する。
【００２６】
なお、以上の実施例は本発明の技術案を限定するためのものではなく、それを説明するためのものに過ぎない。実施例を参照して本発明を詳細に説明したが、当業者であれば、本発明の技術案の修正又は同等の置き換えが、本発明技術案の精神及び範囲から逸脱せず、本発明の特許請求の範囲に含まれることを理解できる。
【図１】
2021510282.tif 000003
【国際調査報告】
2021510282.tif 000004
2021510282.tif 000005
2021510282.tif 000006
2021510282.tif 000007